(57)【要約】【課題】本発明の目的は、ブラシの摩耗進行を抑制することができると共に、電磁ノイズの発生を防止することができ、且つ、モータ寿命を延ばすことが可能なブラシ保持装置を提供することにある。【解決手段】本発明は、ブラシ１４と、このブラシ１４を摺動可能に収容するブラシケース１３と、ブラシ１４をコンミテータ３２側へ付勢するねじりバネ１６と、を備えたブラシ保持装置１０に関する。ブラシケース１３のケース側面部１３ｃには、ブラシ１４の摺動方向に対して斜めに傾斜案内部１３ｆが形成され、ねじりバネ１６は、ブラシ１４が所定長さに摩耗するまで、傾斜案内部１３ｆに当接されながらブラシ１４を付勢するように構成されている。【選択図】　図６
2004088967.tif 000002
【特許請求の範囲】
【請求項１】
ブラシと、該ブラシを摺動可能に収容するブラシケースと、前記ブラシをコンミテータ側へ付勢する付勢部材と、を備えたブラシ保持装置であって、
前記ブラシケースには、前記付勢部材の前記ブラシへの付勢力を低減可能な付勢力低減部が形成されたことを特徴とするブラシ保持装置。
【請求項２】
前記ブラシケースには、ブラシの摺動方向に沿ってケース側面部が形成され、
前記付勢力低減部は、前記ケース側面部に、前記ブラシの摺動方向に対して斜めに形成された傾斜案内部で構成され、
前記付勢部材は、前記傾斜案内部に当接された状態で前記ブラシを付勢可能なねじりバネで構成されたことを特徴とする請求項１に記載のブラシ保持装置。
【請求項３】
請求項１又は請求項２に記載のブラシ保持装置を用いたことを特徴とするモータ。
【発明の詳細な説明】
【０００１】
【発明の属する技術分野】
本発明は、ブラシ保持装置およびモータに係り、特に、ブラシを摺動可能に収容するブラシケースを備えたブラシ保持装置およびモータに関する。
【０００２】
【従来の技術】
図１１は、従来のブラシ保持装置においてブラシがコンミテータ側へ付勢されている状態を示す側面断面図である。
【０００３】
従来から、ブラシ付きの直流型モータにおいては、図１１に示すようなブラシ保持装置１１０が用いられている。従来のブラシ保持装置１１０は、円形プレート状の本体部１１１を有して構成されており、この本体部１１１には、ブラシ１１４を摺動可能に保持する箱状体からなるブラシケース１１３が配設されている。
【０００４】
ブラシケース１１３の近傍には、円柱状のバネホルダ１１５が立設されており、このバネホルダ１１５には、ねじりバネ１１６が巻き付けられるようにして装着されている。
【０００５】
ブラシケース１１３の側面には、ブラシ１１４の摺動方向Ｘに沿ってスリット状の案内溝１１３ａが形成されており、この案内溝１１３ａを介して、ねじりバネ１１６の片端部１１６ａがブラシ１１４の後端部に形成された傾斜面１１４ａに当接されるようになっている。
【０００６】
このとき、ねじりバネ１１６は、バネホルダ１１５の長手方向中心軸線を回転軸としてねじれた状態にあり、ねじりバネ１１６のねじれ力Ｆがブラシ１１４の摺動方向Ｘに沿って作用するようになっている。
【０００７】
これにより、ブラシ１１４が本体部１１１の中央部に向けて（図中矢印Ｘの方向へ）付勢され、ブラシ１１４の先端部がモータの回転子に配設されたコンミテータ１３２に押圧摺接されるようになっている。
【０００８】
そして、ブラシ１１４がコンミテータ１３２に押圧摺接された状態で、ブラシ１１４からコンミテータ１３２へ所定の電流が転流するようになっている。
【０００９】
【発明が解決しようとする課題】
しかしながら、上述のように、従来のブラシ保持装置１１０では、ねじりバネ１１６がバネホルダ１１５の長手方向中心軸線を回転軸としてねじれた状態にあり、ねじりバネ１１６のねじれ力Ｆがブラシ１１４の摺動方向Ｘに沿って作用するようになっている。
【００１０】
従って、ブラシ１１４がほとんど摩耗していないとき、すなわち、ねじりバネ１１６の変位量が大きいときには、ブラシ１１４への付勢力が必要以上に強くなってしまうという不具合があった。
【００１１】
このように、ブラシ１１４がほとんど摩耗していないときに、ねじりバネ１１６のブラシ１１４への付勢力が強いと、ブラシ１１４の先端部１１４ｂがコンミテータ１３２に強く押し付けられるため、ブラシ１１４が早く摩耗してしまい、結果としてモータの寿命が短くなるという問題があった。
【００１２】
この問題に対処するために、ねじりバネ１１６の変位量を小さくして、ねじりバネ１１６のブラシ１１４への付勢力を全体的に弱めることも考えられるが、このようにすると、継続的使用によってブラシ１１４が摩耗して、ブラシ１１４の摺動方向長さが短くなったときには、ねじりバネ１１６のブラシ１１４への付勢力が十分に得られなくなるという不具合が生じてしまうことになる。
【００１３】
このように、ねじりバネ１１６のブラシ１１４への付勢力が十分に得られない場合には、ブラシ１１４のコンミテータ１３２への押圧力が不十分となるため、ブラシ１１４とコンミテータ１３２とが断続的に接触するようになってしまい、ブラシ１１４とコンミテータ１３２間に火花が生じ、電磁ノイズが発生するおそれがある。
【００１４】
本発明は、上記事情に鑑みてなされたものであって、その目的は、ブラシの摩耗進行を抑制することができると共に、電磁ノイズの発生を防止することができ、且つ、モータ寿命を延ばすことが可能なブラシ保持装置およびモータを提供することにある。
【００１５】
【課題を解決するための手段】
前記課題は、請求項１に記載のブラシ保持装置によれば、ブラシと、該ブラシを摺動可能に収容するブラシケースと、前記ブラシを所定方向に付勢する付勢部材と、を備えたブラシ保持装置であって、前記ブラシケースには、前記付勢部材の前記ブラシへの付勢力を低減可能な付勢力低減部が形成されたこと、により解決される。
【００１６】
このように、ブラシケースに付勢力低減部が形成されていると、ブラシが所定長さに摩耗するまで、従来に比して付勢部材のブラシへの付勢力を低減させることができるので、ブラシがコンミテータに強く押し付けられることを防止することができる。これにより、ブラシの摩耗進行が抑制され、モータ寿命を延ばすことが可能となる。
【００１７】
また、継続的使用によってブラシが所定の長さにまで摩耗したときには、付勢力低減部による付勢部材のブラシへの付勢力低減作用を解除すればよく、これにより、ねじりバネのブラシへの付勢力が十分に確保されるので、ブラシとコンミテータ間における電磁ノイズの発生を防止することが可能となる。
【００１８】
このとき、請求項１に記載のブラシ保持装置において、請求項２に記載のように、ブラシケースに、ブラシの摺動方向に沿ってケース側面部が形成され、付勢力低減部が、ケース側面部にブラシの摺動方向に対して斜めに形成された傾斜案内部で構成され、付勢部材が、傾斜案内部に当接された状態でブラシを付勢可能なねじりバネで構成されていると、付勢力低減部としての傾斜案内部によって、付勢部材としてのねじりバネの付勢力を分力化することができるので、ブラシが所定長さに摩耗するまで、ねじりバネのブラシへの付勢力を確実に低減させることができ好適である。
【００１９】
また、請求項３に記載のモータは、請求項１又は請求項２に記載のブラシ保持装置を用いているので、ブラシが所定長さに摩耗するまで、従来に比して付勢部材のブラシへの付勢力を低減させることができ、ブラシがコンミテータに強く押し付けられることを防止することができる。これにより、ブラシの摩耗進行が抑制され、モータ寿命を延ばすことが可能となる。
【００２０】
また、継続的使用によってブラシが所定の長さにまで摩耗したときには、付勢力低減部による付勢部材のブラシへの付勢力低減作用を解除すればよく、これにより、ねじりバネのブラシへの付勢力が十分に確保されるので、ブラシとコンミテータ間における電磁ノイズの発生を防止することが可能となる。
【００２１】
【発明の実施の形態】
以下、本発明の一実施形態について、図を参照して説明する。なお、以下に説明する部材、配置等は、本発明を限定するものではなく、本発明の趣旨に沿って各種改変することができることは勿論である。
【００２２】
図１乃至図１０は本発明の一実施形態を示す図で、図１はブラシ保持装置の正面図、図２は図１におけるＡ部拡大図、図３は図１におけるＢ−Ｂ線断面の部分拡大図である。図４はねじりバネの正面図、図５はねじりバネを図４のＣ−Ｃから見た矢視図である。
【００２３】
図６はブラシ保持装置においてほとんど摩耗していないブラシがねじりバネによって付勢されている状態を示す説明図、図７はブラシ保持装置において摩耗したブラシがねじりバネによって付勢されている状態を示す説明図、図８はねじりバネがブラシの摩耗に伴って変形する様子を示す説明図である。
【００２４】
図９はねじりバネにおけるストロークとブラシへの付勢力との関係を示す特性線図、図１０はモータの構成を示す断面説明図である。なお、図１は、図１０に示すモータにおいてブラシ保持装置をＤ−Ｄから見た矢視図である。
【００２５】
図１に示す本発明の一実施形態に係るブラシ保持装置１０は、ブラシ付き直流型モータに用いられるものである。ブラシ保持装置１０には、略円形プレート状の本体部１１が配設されており、この本体部１１の中央部分には、後述するモータ２０のコンミテータ３２が挿入された中央孔１２が形成されている。
【００２６】
本体部１１の中央孔１２を挟んだ両側部分には、一対の箱状体からなるブラシケース１３，１３が配設されており、このブラシケース１３，１３の内側には、ブラシ１４，１４が、本体部１１の中心軸線Ｌ１に沿って摺動可能に収容されている。
【００２７】
ブラシケース１３，１３の近傍には、円柱状のバネホルダ１５，１５が立設されており、このバネホルダ１５，１５には、付勢部材としてのねじりバネ１６，１６が巻き付けられるようにして装着されている。
【００２８】
ブラシ１４，１４には、給電用電源線として用いられるピッグテール１７，１７が接続されており、このピッグテール１７，１７は、本体部１１に配設された給電部１８，１８にそれぞれ配線接続されている。
【００２９】
ブラシケース１３，１３には、図２に示すように、ブラシ１４の摺動方向Ｘに沿ってケース上面部１３ａがそれぞれ形成されており、このケース上面部１３ａには、ブラシ１４の摺動方向Ｘに沿って切欠き溝１３ｂが形成されている。
【００３０】
このように、切欠き溝１３ｂがブラシ１４の摺動方向Ｘに沿って形成されることにより、ブラシ１４の摺動に伴ってピッグテール１７がブラシケース１３上を移動することができるようになっている。
【００３１】
また、ブラシケース１３には、図３に示すように、ブラシ１４の摺動方向Ｘに沿ってケース側面部１３ｃが形成されており、このケース側面部１３ｃには、ケース側面部１３ｃの一部を切欠いたスリット状の傾斜案内溝１３ｄが形成されている。
【００３２】
この傾斜案内溝１３ｄは、本体部１１の半径方向外側から内側に向かうに従って、ケース側面部１３ｃのケース上面部１３ａ側の部分からケース側面部１３ｃの中央部分に向かうように斜めに形成されている。
【００３３】
このように、ケース側面部１３ｃに傾斜案内溝１３ｄが形成されることにより、傾斜案内溝１３ｄのケース底面部１３ｅ側の部分に、付勢力低減部としての傾斜案内部１３ｆがブラシ１４の摺動方向軸線Ｌ２に対して斜めになるように形成されている。
【００３４】
ねじりバネ１６は、図４，図５に示すように、接線方向にねじれ力（弾性力）を発生することができるように、金属製ワイヤが同軸線上に所定回数巻回されて構成された弾性部材で構成されている。
【００３５】
ねじりバネ１６の内径Ｒは、バネホルダ１５（図２参照）の外径よりも若干大きくなるように形成されており、これにより、ねじりバネ１６の基部がバネホルダ１５に対して若干の隙間を持って支持されるようになっている。
【００３６】
ねじりバネ１６の一端部分には、半径方向内側に折り曲げられた固定部１６ａが形成されており、ねじりバネ１６の他端部分には、接線方向に所定長さ延出した付勢部１６ｂが形成されている。
【００３７】
そして、図２に示すように、固定部１６ａがバネホルダ１５に形成された溝部１５ａに挿入嵌合されることにより、ねじりバネ１６の一端部分が、バネホルダ１５に固定されている。
【００３８】
また、ねじりバネ１６の付勢部１６ｂは、図２，図６に示すように、ねじりバネ１６をバネホルダ１５に装着したときに、ブラシケース１３の傾斜案内溝１３ｄを介して、ブラシ１４の後端部に形成された傾斜面１４ａに当接されるようになっている。
【００３９】
このとき、ねじりバネ１６は、バネホルダ１５の長手方向中心軸線を回転軸としてねじれた状態にあり、ねじりバネ１６のねじれ力がブラシ１４に作用するようになっている。
【００４０】
これにより、ブラシ１４が本体部１１の中央部に向けて（図中矢印Ｘの方向へ）付勢され、ブラシ１４の先端部１４ｂが後述するモータ２０に配設されたコンミテータ３２に押圧摺接されるようになっている。
【００４１】
そして、ブラシ１４がコンミテータ３２に押圧摺接された状態で、ブラシ１４からコンミテータ３２へ所定の電流が転流するようになっている。
【００４２】
ここで、図６に示すように、ブラシ１４の先端部１４ｂがほとんど摩耗しておらず、ブラシ１４の摺動方向長さが長さＬａであるとき、ブラシ１４の後端部傾斜面１４ａに当接されている付勢部１６ｂは、傾斜案内溝１３ｄのケース上面部１３ａ側端部（図中左上側端部）に位置するようになっている。
【００４３】
このとき、ねじりバネ１６の付勢部１６ｂは、傾斜案内部１３ｆに引っ掛かるように当接され、鉛直方向上側に持ち上げられた状態でブラシ１４を付勢するようになっている。これにより、ねじりバネ１６は、中心軸線Ｌ３が略くの字状になるように変形されている。
【００４４】
ここで、ねじりバネ１６のねじれ力Ｆは、ねじりバネ１６の中心軸線Ｌ３に対して垂直で、且つ、ねじりバネ１６の接線方向軸線と平行に作用する。
【００４５】
従って、ブラシ１４の先端部１４ｂがほとんど摩耗しておらず、ブラシ１４の摺動方向長さが長さＬａであるとき、ブラシ１４には、ねじりバネ１６のねじれ力Ｆが水平方向に沿って直接的に作用するのではなく、ねじりバネ１６のねじれ力Ｆのうち、水平方向に沿って作用する水平分力Ｆａが付勢力として作用することになる。
【００４６】
このように、本実施形態のブラシ保持装置１０では、ブラシ１４がほとんど摩耗していない状態にあるときに、ねじりバネ１６のねじれ力Ｆのうち、水平方向に沿って作用する水平分力Ｆａをブラシ１４に付勢力として作用させることができるので、従来に比してブラシ１４への付勢力を低減させることができる。
【００４７】
これにより、ブラシ１４がコンミテータに強く押し付けられることを防止することができるので、ブラシ１４の摩耗進行が抑制され、モータ寿命を延ばすことが可能となる。
【００４８】
一方、継続的使用により、ブラシ１４の先端部１４ｂは、コンミテータ３２との押圧摺接によって摩耗する。
【００４９】
ここで、図７は、継続的使用によってブラシ１４の先端部１４ｂが摩耗し、ブラシ１４の摺動方向長さが図６に示したブラシ１４よりも短くなっている状態を示しており、図８は、ブラシ１４の摩耗に伴うねじりバネ１６の変形状態を示している。
【００５０】
なお、図８の一点鎖線は、図６に示すように先端部１４ｂが摩耗していない状態にあるブラシ１４（ブラシ摺動方向長さＬａ）と付勢部１６ｂを示しており、図８の実線は、図７に示すように先端部１４ｂの摩耗が進行した状態にあるブラシ１４（ブラシ摺動方向長さＬｂ）とねじりバネ１６を示している。
【００５１】
図７に示すように、継続的に使用された状態にあるブラシ保持装置１０では、ブラシ１４がコンミテータ３２に長期間押圧摺接されることにより、先端部１４ｂが摩耗し、ブラシ１４の摺動方向長さが長さＬｂになっている。
【００５２】
また、図８に示すように、ブラシ１４が摩耗して、ブラシ摺動方向長さが長さＬａから長さＬｂに減少しても、ねじりバネ１６の付勢部１６ｂは、ブラシ１４の後端部に形成された傾斜面１４ａを付勢し続けるようになっている。
【００５３】
そして、ブラシ１４の摩耗が進行した状態では、図７に示すように、ねじりバネ１６の付勢部１６ｂが傾斜案内溝１３ｄの鉛直方向下側端部（図中右下側端部）に位置するようになっている。
【００５４】
このとき、付勢部１６ｂが傾斜案内部１３ｆと接触しないようになっており、これにより、ねじりバネ１６の中心軸線Ｌ３がほぼ真っ直ぐな状態となり、ブラシ１４への付勢力低減作用が解除されるようになっている。
【００５５】
ここで、上述のように、ねじりバネ１６のねじれ力Ｆは、ねじりバネ１６の中心軸線Ｌ３に対して垂直で、かつねじりバネ１６の接線方向軸線と平行に作用する。
【００５６】
従って、ブラシ１４の先端部１４ｂが摩耗し、ブラシ１４の摺動方向長さが長さＬｂであるとき、ブラシ１４には、ねじりバネ１６のねじれ力Ｆが摺動方向Ｘに沿って直接的に作用することになる。
【００５７】
このように、本実施形態のブラシ保持装置１０では、ブラシ１４が摩耗した状態でも、ねじりバネ１６のねじれ力Ｆをブラシ１４の摺動方向Ｘに沿って直接的に作用させることができる。
【００５８】
これにより、ねじりバネ１６のブラシ１４への付勢力が十分に確保されるので、ブラシ１４とコンミテータ３２間における電磁ノイズの発生を防止することが可能となる。
【００５９】
ここで、図９は、本発明の一実施形態に係るブラシ保持装置１０において、ねじりバネ１６におけるストローク（付勢部１６ｂの最大変位した位置からの戻り量）とブラシ１４への付勢力との関係を示した特性線図である。
【００６０】
なお、図９において、横軸はストローク〔ｍｍ〕を示し、縦軸はブラシへの付勢力〔Ｎ〕を示している。また、図中実線で示した特性線は、上記実施形態に係るブラシ保持装置１０における測定結果を示し、二点鎖線で示した特性線は、比較例として、図１１に示す従来技術に係るブラシ保持装置１１０における測定結果を示している。
【００６１】
図示の通り、本実施形態のブラシ保持装置１０では、ねじりバネ１６のストロークが小さいとき、すなわちブラシ１４の摩耗量が少ないときは、従来のブラシ保持装置１１０に比して付勢力を低減させることが可能となっている。
【００６２】
また、ねじりバネ１６のストロークが大きいとき、すなわちブラシ１４の摩耗量が多いときは、従来のブラシ保持装置１１０と同様に十分な付勢力を得ることが可能となっている。
【００６３】
次に、図１０を参照しながら、上述の本実施形態に係るブラシ保持装置をブラシ付き直流型モータに適用した例を示す。
【００６４】
図１０に示す符号２０は、上述のブラシ保持装置１０を用いて構成されたブラシ付き直流型モータである。本実施形態に係るモータ２０には、金属製カップ状体からなるハウジング２１が配設されている。
【００６５】
ハウジング２１の内周面には、永久磁石からなるステータマグネット２２が固定され、ハウジング２１の外周面には、モータ２０を設置するためのブラケット２３が固定されている。
【００６６】
ハウジング２１の底面中央部には、軸受収容部２４ａが形成され、この軸受収容部２４ａには、例えば、転がり軸受やすべり軸受等からなる軸受２５ａが配設されている。
【００６７】
ハウジング２１の開口部２１ａには、該開口部２１ａを塞ぐように形成されたフロントフレーム２６が配設され、このフロントフレーム２６には、上記ブラシ保持装置１０が固定されている。
【００６８】
ブラシ保持装置１０の給電部１８には、電源線２７が接続されており、この電源線２７が図示しない外部電源装置に接続されることにより、外部電源装置からブラシ１４間に所定の電圧が印加されるようになっている。
【００６９】
フロントフレーム２６の中央部には、軸受収容部２４ｂが形成され、この軸受収容部２４ｂには、例えば、転がり軸受やすべり軸受等からなる軸受２５ｂが収容されている。
【００７０】
そして、上記構成からなるハウジング２１の内側部分には、アーマチャ３０が配設されている。アーマチャ３０は、モータ２０の軸方向に沿って形成されたシャフト３１を有して形成され、シャフト３１の両端は、軸受２５ａ，２５ｂによってそれぞれ軸支されており、これにより、アーマチャ３０全体が回転可能になっている。
【００７１】
シャフト３１の中央部分よりもフロントフレーム２６側の部分には、コンミテータ３２がブラシ１４と摺接するように配設されており、シャフト３１の中央部よりもハウジング２１の底部側の部分には、軸方向に薄板を積層して構成されたコア３３が配設されている。
【００７２】
コア３３には、突条体からなる突極３４が複数形成されており、この突極３４には、巻線３５がそれぞれ巻回されている。各突極３４に巻回された巻線３５の端部は、コンミテータ３２に形成された複数のセグメント３２ａにそれぞれ所定の順序で配線接続されている。
【００７３】
そして、上記各構成からなるモータ２０では、ブラシ１４と電気的に接続された電源線２７に直流電圧を印加することにより、ブラシ１４間に電流が流れる。そして、このブラシ１４間に流れる電流がコンミテータ３２によって整流されて、巻線３５に所定の電流が流れる。
【００７４】
このようにして、巻線３５に所定の電流が流れることにより、巻線３５に磁界が生じ、この磁界に対してステータマグネット２２の吸引・反発力が働くことによってアーマチャ３０が回転する。
【００７５】
このとき、本実施形態に係るモータ２０では、上述のブラシ保持装置１０が用いられているので、ブラシ１４が所定長さに摩耗するまで、従来に比してねじりバネ１６のブラシ１４への付勢力を低減させることができ、ブラシ１４がコンミテータ３２に強く押し付けられることを防止することが可能である。これにより、ブラシ１４の摩耗進行が抑制され、モータ寿命を延ばすことが可能である。
【００７６】
また、長期間の使用により、ブラシ１４が摩耗してブラシ摺動方向長さが短くなっても、ブラシ１４の付勢力が十分に確保されるので、ブラシ１４をコンミテータ３２に確実に摺接させた状態に保つことができる。
【００７７】
これにより、ブラシ１４とコンミテータ３２との断続接触を防止することができるので、ブラシ１４とコンミテータ３２間におけるブラシノイズの発生を防止することが可能となる。
【００７８】
上記したように、本実施形態によれば、以下の効果を奏する。
（イ）本実施形態のブラシ保持装置１０では、ブラシ１４がほとんど摩耗していない状態にあるときに、ねじりバネ１６のねじれ力Ｆのうち、水平方向に沿って作用する水平分力Ｆａをブラシ１４に付勢力として作用させることができるので、従来に比してブラシ１４への付勢力を低減させることができる。
【００７９】
これにより、ブラシ１４がコンミテータに強く押し付けられることを防止することができるので、ブラシ１４の摩耗進行が抑制され、モータ寿命を延ばすことが可能となる。
【００８０】
（ロ）また、本実施形態のブラシ保持装置１０では、ブラシ１４が摩耗した状態でも、ねじりバネ１６のねじれ力Ｆをブラシ１４の摺動方向Ｘに沿って直接的に作用させることができる。
【００８１】
これにより、ねじりバネ１６のブラシ１４への付勢力が十分に確保されるので、ブラシ１４とコンミテータ３２間における電磁ノイズの発生を防止することが可能となる。
【００８２】
（ハ）本実施形態に係るモータ２０では、上述のブラシ保持装置１０が用いられているので、ブラシ１４が所定長さに摩耗するまで、従来に比してねじりバネ１６のブラシ１４への付勢力を低減させることができ、ブラシ１４がコンミテータ３２に強く押し付けられることを防止することができる。これにより、ブラシ１４の摩耗進行が抑制され、モータ寿命を延ばすことが可能となる。
【００８３】
（ニ）また、本実施形態に係るモータ２０では、長期間の使用により、ブラシ１４が摩耗してブラシ摺動方向長さが短くなっても、ブラシ１４の付勢力が十分に確保されるので、ブラシ１４をコンミテータ３２に確実に摺接させた状態に保つことができる。
【００８４】
これにより、ブラシ１４とコンミテータ３２との断続接触を防止することができるので、ブラシ１４とコンミテータ３２間におけるブラシノイズの発生を防止することが可能となる。
【００８５】
なお、本発明の実施の形態は、以下のように改変することができる。
（ａ）本実施形態のブラシ保持装置１０では、ブラシケース１３に形成された傾斜案内部１３ｆが、本体部１１の半径方向外側から内側に向かうに従ってブラシケース１３の上側から下側に向かうように斜めに形成されることにより、ねじりバネ１６のブラシ１４への付勢力の低減が図られるようになっていたが、本発明はこれに限定されるものではない。
【００８６】
例えば、傾斜案内部１３ｆは、本体部１１の半径方向外側から内側に向かうに従ってブラシケース１３の下側から上側に向かうように斜めに形成されることにより、ねじりバネ１６のブラシ１４への付勢力の低減が図られるようになっていても良い。
【００８７】
また、上記実施形態において、傾斜案内部１３ｆが、ケース上面部１３ａに形成されることにより、ねじりバネ１６のブラシ１４への付勢力の低減が図られるように構成されていても良い。
【００８８】
（ｂ）本実施形態のブラシ保持装置１０では、ブラシケース１３のケース側面部１３ｃにスリット状の傾斜案内溝１３ｄが形成されることにより、傾斜案内部１３ｆが形成されていたが、本発明はこれに限定されるものではない。
【００８９】
すなわち、ケース側面部１３ｃにブラシ１４の摺動方向軸線Ｌ２に対して斜めになるように傾斜案内部１３ｆが形成されていれば、この傾斜案内部１３ｆを形成するための切欠き部は任意な形状で良い。
【００９０】
（ｃ）本実施形態では、付勢部材の一例としてねじりバネ１６を用いて説明したが、請求項１に記載の発明はこれに限定されるものではない。例えば、付勢部材として、板バネ等が用いられていても良い。
【００９１】
【発明の効果】
以上詳述したように、本発明のブラシ保持装置は、ブラシケースに付勢力低減部が形成されてなるので、ブラシが所定長さに摩耗するまで、従来に比して付勢部材のブラシへの付勢力を低減させることができ、ブラシがコンミテータに強く押し付けられることを防止することができる。これにより、ブラシの摩耗進行が抑制され、モータ寿命を延ばすことが可能となる。
【００９２】
また、継続的使用によってブラシが所定の長さにまで摩耗したときには、付勢力低減部による付勢部材のブラシへの付勢力低減作用を解除すればよく、これにより、ねじりバネのブラシへの付勢力が十分に確保されるので、ブラシとコンミテータ間における電磁ノイズの発生を防止することが可能となる。
【００９３】
また、本発明のモータは、上記ブラシ保持装置を用いて構成されているので、ブラシが所定長さに摩耗するまで、従来に比して付勢部材のブラシへの付勢力を低減させることができ、ブラシがコンミテータに強く押し付けられることを防止することができる。これにより、ブラシの摩耗進行が抑制され、モータ寿命を延ばすことが可能となる。
【００９４】
また、継続的使用によってブラシが所定の長さにまで摩耗したときには、付勢力低減部による付勢部材のブラシへの付勢力低減作用を解除すればよく、これにより、ねじりバネのブラシへの付勢力が十分に確保されるので、ブラシとコンミテータ間における電磁ノイズの発生を防止することが可能となる。
【００９５】
【図面の簡単な説明】
【図１】本発明の一実施形態に係るブラシ保持装置の正面図である。
【図２】図１におけるＡ部拡大図である。
【図３】図１におけるＢ−Ｂ線断面の部分拡大図である。
【図４】本発明の一実施形態に係るねじりバネの正面図である。
【図５】本実施形態のねじりバネを図４のＣ−Ｃから見た矢視図である。
【図６】本発明の一実施形態に係るブラシ保持装置においてほとんど摩耗していないブラシがねじりバネによって付勢されている状態を示す説明図である。
【図７】本発明の一実施形態に係るブラシ保持装置において摩耗したブラシがねじりバネによって付勢されている状態を示す説明図である。
【図８】本発明の一実施形態に係るねじりバネがブラシの摩耗に伴って変形する様子を示す説明図である。
【図９】本発明の一実施形態に係るねじりバネにおけるストロークとブラシへの付勢力との関係を示す特性線図である。
【図１０】本発明の一実施形態に係るモータの構成を示す断面説明図である。
【図１１】従来のブラシ保持装置においてブラシがコンミテータ側へ付勢されている状態を示す側面断面図である。
【符号の説明】
１０，１１０　ブラシ保持装置、１１，１１１　本体部、１２　中央孔、１３，１１３　ブラシケース、１３ａ　ケース上面部、１３ｂ　切欠き溝、１３ｃ　ケース側面部、１３ｄ　傾斜案内溝、１３ｅ　ケース底面部、１３ｆ　傾斜案内部、１４，１１４　ブラシ、１４ａ，１１４ａ　傾斜面、１４ｂ，１１４ｂ　先端部、１５，１１５　バネホルダ、１５ａ　溝部、１６，１１６　ねじりバネ、１６ａ　固定部、１６ｂ　付勢部、１７　ピッグテール、１８　給電部、２０　モータ、２１　ハウジング、２１ａ　開口部、２２　ステータマグネット、２３　ブラケット、２４ａ，２４ｂ　軸受収容部、２５ａ，２５ｂ　軸受、２６　フロントフレーム、２７　電源線、３０　アーマチャ、３１　シャフト、３２，１３２　コンミテータ、３２ａ　セグメント、３３　コア、３４　突極、３５　巻線、１１３ａ　案内溝、１１６ａ　片端部
【図１】
2004088967.tif 000003
【図２】
2004088967.tif 000004
【図３】
2004088967.tif 000005
【図４】
2004088967.tif 000006
【図５】
2004088967.tif 000007
【図６】
2004088967.tif 000008
【図７】
2004088967.tif 000009
【図８】
2004088967.tif 000010
【図９】
2004088967.tif 000011
【図１０】
2004088967.tif 000012
【図１１】
2004088967.tif 000013